(57)【要約】【課題】本発明の課題は、装置全体の小型化と導光板のアクティブエリアの拡大とを可能とするように導光板をシャーシに対して位置決めすることである。【解決手段】本発明は、光源（冷陰極ランプ）１８と、裏面側の周縁部に凹状部１５ａを設けた導光板１５と、凹状部１５ａに対応する位置に凹状部１５ａと係合する凸状部１７ｃを形成したシャーシ１７とを備えており、シャーシ１７の凸状部１７ｃを導光板１５の凹状部１５ａに嵌合して導光板１５をシャーシ１７に位置決め保持させている。【選択図】  図１
2004296193.tif 000002
【特許請求の範囲】
【請求項１】
光源と、裏面側の周縁部に凹状部を設けた導光板と、上記凹状部に対応する位置に上記凹状部と係合する凸状部を形成したシャーシとを備えていることを特徴とする照明装置。
【請求項２】
上記凹状部は導光板の周縁部より切り込んでいる請求項１に記載の照明装置。
【請求項３】
上記凹状部の深さは導光板の肉厚の１／３〜２／３とされている請求項１または請求項２に記載の照明装置。
【請求項４】
上記導光板の辺に沿って蛍光管からなる上記光源が配置され、該導光板の凹状部は、上記光源が配置された辺と隣接する辺の中央位置から上記光源より遠ざかる位置に設けられている請求項１乃至請求項３のいずれか１項に記載の照明装置。
【請求項５】
上記導光板は２対の対向辺を有し、上記光源が上記導光板の上下あるいは左右の対向位置に配置され、該導光板の凹状部は光源が配置されている対向辺と異なる対向辺の中央部に設けられている請求項１乃至請求項３のいずれか１項に記載の照明装置。
【請求項６】
上記導光板は４辺を有し、上記導光板の４隅に上記凹状部が設けられている請求項１乃至請求項３のいずれか１項に記載の照明装置。
【請求項７】
上記凹状部の底壁部と周壁部との間、該周壁部の屈曲部および周壁部の開口周縁に曲面部を設け、エッジのない凹状部としている請求項１乃至請求項６のいずれか１項に記載の照明装置。
【請求項８】
上記凹状部の光源側と反対の周壁部が、光源側に向けて内側に突出するように直線状に傾斜され或いは円弧状に湾曲されている請求項１乃至請求項７のいずれか１項に記載の照明装置。
【請求項９】
上記凹状部の深さは、光源側と反対側に向けて浅くなるように、上記底壁部を傾斜させている請求項１乃至請求項７のいずれか１項に記載の照明装置。
【請求項１０】
上記導光板の表面全体にドット印刷面が設けられ、上記凹状部を設ける導光板の裏面には上記ドット印刷面が設けられていない請求項１乃至請求項９のいずれか１項に記載の照明装置。
【請求項１１】
上記導光板の裏面全体にドット印刷面が設けられ、上記凹状部の内面にも上記ドット印刷面が設けられている請求項１乃至請求項９のいずれか１項に記載の照明装置。
【請求項１２】
請求項１乃至請求項１１のいずれか１項に記載の上記照明装置と光学シートと液晶パネルとを備えた液晶表示装置。
【発明の詳細な説明】
【０００１】
【発明の属する技術分野】
本発明は、照明装置、該照明装置を備えた液晶表示装置に関するものである。
【０００２】
【従来技術】
従来、フラット型表示装置としては、液晶表示装置（ＬＣＤ）、プラズマディスプレイ装置（ＰＤＰ）、有機ＥＬ（エレクトロルミッセンス）装置等の薄型ディスプレイが良く知られており、その中でも、液晶表示装置は、携帯電話、携帯情報端末（ＰＤＡ）、デスクトップ型コンピュータ、ノート型コンピュータ、テレビ、車両用ナビゲーション、パチンコ等のアミューズメント用等のディスプレイとして幅広く用いられている。
【０００３】
例えば、特開平７−３３３６０９号公報（特許文献１）、特開平８−２６２４１４号公報（特許文献２）、特開２００１−９１９４７号公報（特許文献３）等に開示された液晶表示装置では、ケース本体の凹部や枠状のシャーシに反射手段と導光板とを積層配置すると共に該導光板の側方にランプを配置し、該ランプからの光を導光板を通じて拡散し、表層の液晶パネルの裏面を照射している。
【０００４】
しかし、上記構造によると、導光板はケース本体や枠状のシャーシに単にはめ込み収容されているだけで、位置決め保持手段が設けられていないため、導光板がシャーシ内でガタつきやすい問題がある。
【０００５】
そこで、図１７に示すように、特開２００１−１０８９８８号公報（特許文献４）に開示された液晶表示装置では、導光板１の下辺に沿ってランプ３が配置され、該導光板１の両側辺に一対の突起１ａを外方に突出させる一方、該導光板１の背面側のシャーシ２に上記突起１ａに対応する位置に凹所２ａを設け、突起１ａをシャーシ２の凹所２ａに嵌合することで、導光板１の位置決め保持を図っている。
【０００６】
【特許文献１】
特開平７−３３３６０９号公報
【特許文献２】
特開平８−２６２４１４号公報
【特許文献３】
特開２００１−９１９４７号公報
【特許文献４】
特開２００１−１０８９８８号公報
【０００７】
【発明が解決しようとする課題】
しかしながら、図１７に示す上記特許文献４に開示された液晶表示装置では、シャーシ２の外周枠部に内面側から切り欠いた凹所２ａを設けているため、凹所２ａを設けた箇所でシャーシ２の強度が低下する問題がある。そのためシャーシの外周枠部を広幅化して強度を保持することも考えられるが、その場合、  広額縁化し、  装置全体を小型化する観点から好ましくない。
【０００８】
そこで、図１８に示すように、逆にシャーシ５から凸部５ａを突出し、導光板６の該凸部５ａに対応する位置に凹部６ａを切り欠いて、凹凸嵌合させることが考えられるが、導光板６の対向辺に凹部６ａを切り欠いていることで、  光の反射状態が変化し、凹部６ａの近傍位置で明暗が生じ、視覚に影響をあたえる。そのため、導光板を備えたバックライトの表面側に液晶パネルを配置して、ベゼルを取り付ける際、ベゼルにより上記凹部６ａを覆うようにしているが、その結果、ベゼルが広額縁化し、結果的に、導光板のアクティブエリアの減少、画面表示領域の減少を招き、狭額縁化の要請に答えることができない。
【０００９】
本発明は、上記問題に鑑みてなされたもので、装置全体の小型化と導光板のアクティブエリアの拡大および画面表示領域の拡大という相反する要望を達成しながらも、導光板のシャーシに対する位置決め保持を図ることを課題としている。
【００１０】
【課題を解決するための手段】
上記課題を解決するため、本発明は、光源と、裏面側の周縁部に凹状部を設けた導光板と、上記凹状部に対応する位置に上記凹状部と係合する凸状部を形成したシャーシとを備えていることを特徴とする照明装置を提供している。
【００１１】
上記照明装置は、液晶表示装置の液晶パネルの裏面側に配置されるバックライトとして好適に用いられるものである。
【００１２】
上記導光板の裏面側の周縁部に形成する凹状部は外周縁に開口させている場合、および、外周縁に近接した位置に形成される閉断面形状の凹状部を含むが、狭額縁化の要請からは外周面に開口させて、外周面より切り込んでいることが好ましい。なお、液晶表示装置が大型装置であり、狭額縁化よりも導光板の位置決め保持が優先される場合には、導光板の外周縁に開口しない閉断面形状の凹状部を設けて、裏面側に配置されるシャーシの凸状部と嵌合させると、位置決め保持力を向上させることができる。
【００１３】
上記のように導光板に設ける位置決め保持用の凹状部は、導光板の裏面側のみ切り込んで、凹状部を設けた箇所にも表面側に肉部を残しているため、導光板のアクティブエリアとして利用でき、アクティブエリアの減少を防止できる。即ち、従来の導光板の外周縁より切り欠いた穴形状とした場合に発生する導光板のアクティブエリア減少を回避している。よって、導光板に設けた凹状部を裏面側に配置されるシャーシに設けた凸状部に嵌合することで導光板をガタつきなく、シャーシに位置決め保持でき、かつ、アクティブエリアの拡大を実現することが可能となる。
【００１４】
しかも、シャーシには凹凸嵌合の凹側ではなく凸側である凸状部を設ける構成としているので、シャーシ強度を維持でき、シャーシの外周枠を広幅化する必要がないため、シャーシの狭額縁化による装置の小型化も同時に達成することができる。
【００１５】
上記凹状部の深さは導光板の肉厚の１／３〜２／３とすることが好ましい。なお、１／２程度が最も好ましい。
【００１６】
上記のように、凹状部の深さを１／３〜２／３としているのは、１／３より小さいとシャーシの凸状部との嵌合力が弱くなる一方、２／３より大きいと凹状部の前面側の導光板の厚さが光伝達に十分な厚さを確保できないからである。
【００１７】
上記導光板の辺に沿って蛍光管からなる上記光源が配置され、該導光板の凹状部は、上記光源が配置された辺と隣接する辺の中央位置から上記光源より遠ざかる位置に設けられていることが好ましい。
【００１８】
なお、凹状部は光源配置側と対向する辺の両端の隅に設けることが好ましいが、導光板は光源配置側から対向辺にかけて次第に薄肉化させている場合が多いため、対向辺は最も薄肉となり、その両端隅に凹状部を形成すると、凹状部の深さが浅くなって位置決め保持力が低下する場合もある。よって、光源配置側の辺と隣接する両側縁の光源側から離れた中央部から先端までの領域の間、好ましくは中央部寄りがよい。
【００１９】
なお、導光板は矩形状に限定されず、長円形状や多角形状等の場合にも適用でき、光源側から離れた位置の導光板の周縁に上記凹状部を設け、背面側のシャーシの凸状部と嵌合させると、導光板のアクティブエリアを減少させることなく、シャーシに対してガタつきなく保持できる。
【００２０】
上記導光板は２対の対向辺を有し、上記光源が上記導光板の上下あるいは左右の対向位置に配置され、該導光板の凹状部は光源が配置されている対向辺と異なる対向辺の中央部に設けられている。
【００２１】
上記構成とすると、上下あるいは左右の対向位置に配置された一対の光源の中間位置に凹状部が配置され、各光源から互いに離れた位置に凹状部が位置するため、一対の凹状部により安定して導光板をシャーシに位置決め保持できる。かつ、表面側は切り欠かない凹状部としていることにより、導光板の光の伝達への影響は少なくしているが、上記のように、光源より離れた位置に凹状部を設定すると、より導光板の光の反射状態に影響を及ぼさないようにすることができる。
【００２２】
あるいは、上記導光板は４辺を有し、上記導光板の４隅に上記凹状部が設けられていると良い。該構成とすると、導光板全体を安定して４点支持することができ、位置決め精度を高めることができる。
【００２３】
上記凹状部の底壁部と周壁部との間、該周壁部の屈曲部および周壁部の開口周縁に曲面部（アール）を設け、エッジのない凹状部とすることが好ましい。該構成のように凹状部にエッジを設けないことで、エッジに発生しやすい輝点の発生を抑制でき、光の伝播状態の均一性を保つことができる。
【００２４】
さらに、上記凹状部の光源側と反対の周壁部が、光源側に向けて内側に突出するように直線状あるいは円弧状に傾斜されていることが好ましい。
【００２５】
さらにまた、上記凹状部の深さは、光源側と反対側に向けて浅くなるように、言い換えれば、光源側に向けて深くなるように、底壁部を傾斜させていることが好ましい。該構成とすると、導光板の辺に沿って配置される光源からの光を上記凹状部の周壁部あるいは底壁部の傾斜面に沿って滑らかに反射シート側へと導くことができ、凹状部の存在が光の反射状態に影響を及ぼすことをより低減することができる。
【００２６】
上記導光板の表面全体にドット印刷面が設けられ、上記凹状部を設ける導光板の裏面には上記ドット印刷面が設けられていない。該構成とすると、上記導光板の表面全体に所要の分布でドット印刷面を設けることにより、光の拡散を行って導光板の表面側に均一に光を伝達することができる。この際、ドット印刷面は導光板の表面側に設けているので、裏面側に設ける凹状部はドット印刷面に影響を及ぼさないようにできる。
【００２７】
あるいは、上記導光板の裏面全体にドット印刷面が設けられている場合は、凹状部の内面にも上記ドット印刷面が設けられていることが好ましい。該構成とすると、導光板の裏面側にドット印刷面を設けることで、導光板の裏面側のドット印刷面で光の拡散を行った後に、導光板を通して表面側より光を放出することができるので光の均一化を効果的に行うことができる。この際、導光板の裏面側には上記凹状部が存在するが、上記凹状部の内面にもドット印刷面を設けることで、凹状部近傍での光の拡散性を損なうのを防止することができる。なお、ドット印刷面は、面方向でドットの大きさや疎密を変化させることで、均一な光の拡散を調整している。
【００２８】
本発明は、上記照明装置と光学シートと液晶パネルとを備えた液晶表示装置を提供している。
【００２９】
該液晶表示装置では、導光板を背面側のシャーシに位置決め保持する手段を、導光板の外周縁に形成しても導光板のアクティブエリアが減少せず、その結果、液晶表示装置の液晶パネルの表面側に取り付けるベゼルの狭額縁化が図れ、その結果、画像表示装置を拡大することができる。
【００３０】
【発明の実施の形態】
本発明の実施形態を図面を参照して説明する。
【００３１】
図１は第１実施形態の液晶表示装置１０の分解斜視図を示す。液晶表示装置１０は、照明装置となるバックライト１１と、液晶パネル１２と、該バックライト１１および液晶パネル１２を保持固定するベゼル１３とを備えている。液晶パネル１２は、液晶を挟持した一対の基板と、液晶の配向状態を制御するための駆動回路とを備えている。
【００３２】
バックライト１１は、四角形状の底部周縁に枠部を一体成形した樹脂成形品のシャーシ１７と、該シャーシ１７の底部に敷設される反射シート１６と、反射シート１６の上に配置されるアクリル樹脂成形品からなる矩形状の導光板１５と、導光板１５の上に積層される複数枚の光学シート群１４と、導光板１５の上下辺に対向配置する一対の冷陰極ランプ１８と、各冷陰極ランプ１８を覆うリフレクタ１９と、リフレクタ１９で覆われた冷陰極ランプ１８をカバーするランプホルダ２０とを備えている。なお、シャーシ１７は金属製としてもよい。
【００３３】
導光板１５は、図２（ａ）に示すように、冷陰極ランプ１８の対向辺の端面１５ｃ−１を入光面とし、表面１５ｂを発光面としており、反射シート１６と接する裏面１５ｄ側の四隅には肉厚が薄くなるように外周縁より四角形状の浅底の凹状部１５ａを切り込んでいる。よって、表面１５ｂは矩形状を維持し、周縁からの切り込みは設けられていない。該凹状部１５ａは、図２（ｂ）に示すように、底壁部１５ａ−１と、該底壁部１５ａ−１の２辺を囲む周壁部１５ａ−２とを備えている。凹状部１５ａの深さは、導光板１５の肉厚をＴ、凹状部１５ａの深さをＤとすると、Ｄ／Ｔ＝１／３〜２／３の関係とし、本実施形態では１／２としている。
【００３４】
導光板１５の裏面１５ｄには、図５に示すようにドット印刷面１５ｅを有し、面方向でドットの大きさや疎密を変化させることで均一な光の拡散を調整している。上記凹状部１５ａの底壁部１５ａ−１にもドット印刷面１５ｅを付している。
【００３５】
導光板１５の背面側に配置するシャーシ１７は、図３に示すように、底部１７ｂと、該底部１７ｂの外周から突設した矩形状の枠部１７ａと、枠部１７ａの四隅より内方に突出した直方体状の凸状部１７ｃとを備えている。凸状部１７ｃの高さは導光板１５の凹状部１５ａの深さＤと反射シート１６の厚さとを合わせた大きさとしている。反射シート１６は、その四隅をシャーシ１７の凸状部１７ｃと嵌合するように切欠部１６ａを設けている。
【００３６】
シャーシ１７の枠部１７ａの内部に導光板１５を嵌め込む際に、図４に示すように、冷陰極ランプ１８をシャーシ１７の枠部１７ａの上下辺に沿って枠内に配置すると共に、上下の冷陰極ランプ１８の間に導光板１５を配置し、凹状部１５ａを凸状部１７ｃに嵌合して位置決めしている。
【００３７】
具体的には、図５（ａ）に示すように、冷陰極ランプ１８と対向していない導光板１５の端面１５ｃ−２がシャーシ１７の枠部１７ａに当接し、凹状部１５ａが凸状部１７ｃに嵌合されている。
【００３８】
一方、図５（ｂ）に示すように、冷陰極ランプ１８と対向する端面１５ｃ−１では、シャーシ１７の枠部１７ａの内側にリフレクタ１９およびランプホルダ２０で保持された冷陰極ランプ１８を配置すると共に、凹状部１５ａを凸状部１７ｃの角部分に嵌合させている。
【００３９】
上記構成とすると、導光板１５の位置決めの役目を果たす凹状部１５ａが裏面１５ｄ側より厚みを薄くするように設けられていることで、凹状部１５ａの存在する位置にも薄肉となる導光板の有効部分Ａを残すことができ、シャーシ１７の凸状部１７ｃと嵌合する凹状部１５ａが存在する箇所も、導光板１５のアクティブエリアとして利用することが可能となる。
【００４０】
したがって、導光板１５をシャーシ１７に対して位置決めすると同時に、アクティブエリアの拡大を実現することが可能となる。かつ、シャーシ１７には凹凸嵌合の凹側ではなく凸側である凸状部１７ｃを設ける構造であるため、シャーシ強度を維持しながらも枠部１７ａを強度限界まで薄肉化することができ、シャーシ１７の挟額縁化による液晶表示装置１０の小型化も同時に達成することができる。
【００４１】
なお、導光板１５の変形例として、図６（ａ）に示すように、導光板１５０のドット印刷面１５０ｅを表面１５０ｂ側に設けてもよい。また、冷陰極ランプ１８は上下辺に配置する代わりに、左右辺に配置しても良いし、図６（ｂ）に示すように、冷陰極ランプ１８は導光板１５０の下辺に１本配置してもよい。この場合、導光板１５０の両端面１５０ｃ−２の中間位置より対向面１５０ｃ−３にかけた領域Ｘに左右一対の凹状部１５０ａを設け、シャーシの対応位置に凸状部を設けている。なお、他の構成は上記第１実施形態と同一符号を付して説明を省略する。
【００４２】
図７乃至図９は第２実施形態を示す。第１実施形態との相違点は、上下に配置されるランプ１８に対して、直交方向の導光板２５の左右両側辺２５ｃの中央部に対応させて凹状部２５ａを設けている点である。導光板２５は、図７（ａ）（ｂ）に示すように、左右の対向辺の中央部の裏面側に周縁から底壁部２５ａ−１とコ字状の周壁部２５ａ−２とを備えた凹状部２５ａを切り込んでいる。
【００４３】
シャーシ２７は、図８に示すように、底部２７ｂと、矩形状の枠部２７ａと、枠部２７ａの対向辺の中央より内方に突出した直方体状の凸状部２７ｃとを備えている。シャーシ２７の枠部２７ａの内部に導光板２５を嵌め込んで位置決め固定する際には、図９に示すように、冷陰極ランプ１８をシャーシ２７の枠部２７ａの上下辺に沿って枠内に配置すると共に、上下の冷陰極ランプ１８の間に導光板２５を配置し、凹状部２５ａを凸状部２７ｃに嵌合して位置決めしている。なお、他の構成は第１実施形態と同様であるため説明を省略する。
【００４４】
図１０乃至図１２は第３実施形態を示す。第３実施形態は大型液晶表示装置に好適に対応できるもので、導光板の凹状部とシャーシの凸状部との嵌合による位置決め保持力を高めている。
【００４５】
第１実施形態との相違点は、導光板３５の凹状部３５ａを外周端より切り込んでいるのではなく、外周縁の近傍に閉断面の四角形状に凹状部３５ａを設けている点である。
【００４６】
導光板３５は、図１０（ａ）（ｂ）に示すように、左右の対向辺の長さ方向の中央位置に裏面３５ｄ側に外周端部より若干の間隔をあけた位置に、肉厚が薄くなるように底壁部３５ａ−１と周壁部３５ａ−２とを備えた浅底の閉断面形状の凹状部３５ａを形成している。シャーシ３７は、図１１に示すように、底部３７ｂと、矩形状の枠部３７ａを備え、枠部３７ａの対向辺の中央部から若干の間隔をあけた位置の底部３７ｂより直方体状の凸状部３７ｃを突出させている。
【００４７】
シャーシ３７に対して導光板３５を嵌めて位置決め固定する際には、図１２に示すように、冷陰極ランプ１８をシャーシ３７の枠部３７ａの上下辺に沿って枠内に配置すると共に、上下の冷陰極ランプ１８の間に導光板３５を配置し、凹状部３５ａを凸状部３７ｃに嵌合して位置決めしている。なお、他の構成は第１実施形態と同様であるため説明を省略する。
【００４８】
また、上記のように、四角形状の凹状部とする場合は、冷陰極ランプが導光板の一辺に沿って１本配置される場合、該光源側から離れた対向辺の中央部に凹状部を１個だけ設けても位置決め保持を図ることが可能となる。
【００４９】
図１３（ａ）（ｂ）は第４実施形態を示す。第１実施形態との相違点は、導光板４５の凹状部４５ａのエッジをなくしている点である。即ち、凹状部４５ａは、その底壁部４５ａ−１と周壁部４５ａ−２との間に第１アール４５ｇを、周壁部４５ａ−２の屈曲部に第２アール部４５ｆを、周壁部４５ａ−２の開口周縁に第３アール部４５ｈを、底壁部４５ａ−１の開口周縁に第４アール部４０ｉをそれぞれ設けることで、エッジの無い形状としている。このように凹状部４５ａにエッジを設けないようにすることで、輝点の発生を防止して光の伝播状態の均一性を保つことができる。なお、他の構成は第１実施形態と同様であるため説明を省略する。
【００５０】
図１４は第５実施形態を示す。第１実施形態との相違点は、導光板５５の凹状部５５ａの底壁部５５ａ−１を冷陰極ランプ１８と反対側に向けて浅くなるように傾斜させたテーパー形状としている点である。
【００５１】
凹状部５５ａは、冷陰極ランプ１８側に向けて深底となるように傾斜し、かつ、底壁部５５ａ−１と周壁部５５ａ−２との境界部分はアール部５５ａ−３を設けている。シャーシ５７の凸状部５７ｃは、凹状部５５ａと嵌合する形状となるようにテーパー部５７ｃ−１とアール部５７ｃ−２とを有する形状としている。
【００５２】
上記構成とすると、冷陰極ランプ１８が導光板５５の端面５５ｃに沿って配置された時に、冷陰極ランプ１８からの光を傾斜面である底壁部５５ａ−１に沿って滑らかに反射シート１６側へと導くことができる。また、底壁部５５ａ−１と周壁部５５ａ−２との境界部分はアール部５５ａ−３としてエッジとならないようにしているので、輝点の発生を防止することができる。なお、他の構成は第１実施形態と同様であるため説明を省略する。
【００５３】
図１５は第６実施形態を示す。第１実施形態との相違点は、導光板６５の凹状部６５ａの底壁部を円弧状に湾曲させながら冷陰極ランプの反対側にむけて浅底となるようにしている点である。また、シャーシ６７の凸状部６７ｃも、凹状部６５ａと嵌合する形状となるように円弧部６７ｃ−２を有する形状としている。
【００５４】
上記構成とすると、冷陰極ランプ１８が導光板６５の端面６５ｃに沿って配置された時に、冷陰極ランプ１８からの光を凹状部６５ａの円弧に沿って滑らかに反射シート１６側へと導くことができる。かつ、凹状部６５ａは断面円弧状でエッジの無い形状としているので、輝点の発生を防止することができる。なお、他の構成は第１実施形態と同様であるため説明を省略する。
【００５５】
図１６（ａ）（ｂ）は第７実施形態を示す。第１実施形態との相違点は、導光板７５の凹状部７５ａの外形を冷陰極ランプと反対側に向けて幅狭となるように傾斜させ、あるいは円弧形状に湾曲させている点である。背面側のシャーシの凸状部は凹状部７５ａの形状と対応させている。他の構成は第１実施形態と同様であるため説明を省略する。該構成とすると、第６実施形態と同様に、冷陰極ランプからの光を凹状部の円弧に沿って滑らかに反射シート１６側へと導くことができ、輝点の発生を極力抑制することができる。
【００５６】
【発明の効果】
以上の説明より明らかなように、本発明によれば、導光板には位置決めの役目を果たす凹状部が裏面側に形成され表面側には凹状部の存在する位置にも導光板の有効部分を残している。よって、シャーシの凸状部と嵌合する凹状部が存在する箇所も、導光板のアクティブエリアとして利用できる。かつ、シャーシには凹凸嵌合の凹側ではなく凸側である凸状部を設ける構造であるため、シャーシ強度を維持しながらも強度限界まで薄肉化することができ、シャーシの狭額縁化による液晶表示装置の小型化も同時に達成可能となる。
【図面の簡単な説明】
【図１】本発明の第１実施形態の液晶表示装置の分解斜視図である。
【図２】本発明の第１実施形態の導光板を示し、（ａ）は斜視図、（ｂ）は要部拡大斜視図である。
【図３】本発明の第１実施形態のシャーシの斜視図である。
【図４】本発明の第１実施形態のシャーシに導光板を取り付けた状態の斜視図である。
【図５】本発明の第１実施形態の液晶表示装置を示し、（ａ）（ｂ）は要部断面図である。
【図６】本発明の第１実施形態の変形例を示し、（ａ）は変形例の要部断面図、（ｂ）は他の変形例の概略図である。
【図７】本発明の第２実施形態の導光板を示し、（ａ）は斜視図、（ｂ）は要部拡大斜視図である。
【図８】本発明の第２実施形態のシャーシの斜視図である。
【図９】本発明の第２実施形態のシャーシに導光板を取り付けた状態の斜視図である。
【図１０】本発明の第３実施形態の導光板を示し、（ａ）は斜視図、（ｂ）は裏面側から見た要部拡大斜視図である。
【図１１】本発明の第３実施形態のシャーシの斜視図である。
【図１２】本発明の第３実施形態のシャーシに導光板を取り付けた状態の斜視図である。
【図１３】本発明の第４実施形態の導光板を示し、（ａ）は要部側面図、（ｂ）は要部上面図である。
【図１４】本発明の第５実施形態の液晶表示装置の要部断面図である。
【図１５】本発明の第６実施形態の液晶表示装置の要部断面図である。
【図１６】本発明の第７実施形態を示し、（ａ）（ｂ）は要部概略正面図である。
【図１７】従来例を示す図面である。
【図１８】別の従来例を示す図面である。
【符号の説明】
１０    液晶表示装置
１１    バックライト（照明装置）
１２    液晶パネル
１３    ベゼル
１４    光学シート群
１５    導光板
１５ａ  凹状部
１６    反射シート
１７    シャーシ
１７ａ  枠部
１７ｃ  凸状部
１８    冷陰極ランプ
１９    リフレクタ
２０    ランプホルダ
【図１】
2004296193.tif 000003
【図２】
2004296193.tif 000004
【図３】
2004296193.tif 000005
【図４】
2004296193.tif 000006
【図５】
2004296193.tif 000007
【図６】
2004296193.tif 000008
【図７】
2004296193.tif 000009
【図８】
2004296193.tif 000010
【図９】
2004296193.tif 000011
【図１０】
2004296193.tif 000012
【図１１】
2004296193.tif 000013
【図１２】
2004296193.tif 000014
【図１３】
2004296193.tif 000015
【図１４】
2004296193.tif 000016
【図１５】
2004296193.tif 000017
【図１６】
2004296193.tif 000018
【図１７】
2004296193.tif 000019
【図１８】
2004296193.tif 000020